(57)【要約】【課題】  ＳＩＭカードの取り出しを容易にする携帯電話機を提供する。【解決手段】  携帯電話機の電池カバー１は、筐体１５のリアカバー５からの下がり壁７と係合する係合爪２を有する。電池カバー１の縁部を下方に押すと、係合爪２が下がり壁７から外れるので、電池カバー１が筐体１５から外れ、電池１０の取替が可能になる。電池カバー１を更に強く下方に押すと、係合爪２がＳＩＭカード１４の表面に接触し、電池カバーを外す際にＳＩＭカード１４が摩擦力によって前面側に引き出される。その後、電池１０を外し、ＳＩＭカード１４を取り外す。【選択図】図３
2006229576.tif 000002
【特許請求の範囲】
【請求項１】
第１の空間と、該第１の空間から挿入されるカード媒体を収容するカード媒体収容空間とを有する筐体を備える携帯型電子機器において、
前記第１の空間と前記カード媒体収容空間との境界部分を含み前記第１の空間を覆うカバー部材を備え、該カバー部材は、前記カード媒体収容空間内で前記筐体の係止部に係合して前記カバー部材を前記筐体に係止する係合部を備え、該係合部は、前記カバー部材を前記カード媒体の挿入方向と直交方向に第１の強度で押圧することにより前記係止部との係合が外れ、前記カバー部材を前記第１の強度よりも大きな第２の強度で前記挿入方向と直交する方向に押圧することにより、前記カード媒体の表面と接触し、該カード媒体は、前記カバー部材の係合部との摩擦によって、該カバー部材と共に前記第１の空間側に取り出し可能であることを特徴とする携帯型電子機器。
【請求項２】
前記カバー部材は、前記カード媒体の前記挿入方向と逆方向の移動を禁止するカード押さえ部を有する、請求項１に記載の携帯型電子機器。
【請求項３】
前記カード媒体は、前記カード媒体収容空間内においてカードコネクタ上に搭載されている、請求項１又は２に記載の携帯型電子機器。
【請求項４】
前記カードコネクタは、前記カード媒体収容空間内に配設されるサブ基板上に搭載され、該サブ基板は、前記第１の空間及びカード媒体収容空間内に配設されるメイン基板上に搭載される、請求項３に記載の携帯型電子機器。
【請求項５】
前記係合部は、前記カード媒体の表面との接触面にクッション部材を有する、請求項１〜４の何れか一に記載の携帯型電子機器。
【請求項６】
前記カード媒体がＳＩＭカードであり、携帯電話機として構成される、請求項１〜５の何れか一に記載の携帯型電子機器。
【請求項７】
前記第１の空間が、電池を収容する電池収容空間である、請求項１〜６の何れか一に記載の携帯型電子機器。
【発明の詳細な説明】
【技術分野】
【０００１】
本発明は、携帯型電子機器に関し、更に詳しくは、携帯型電子機器に挿入されるカード媒体の取り出しに特に適したカード取り出し構造の改良に関する。
【背景技術】
【０００２】
ＧＳＭ方式のデジタル携帯電話機では、ＳＩＭ(Subscriber Identity  Module)カードが加入者識別のために使用される。図４（ａ）及び（ｂ）は、特許文献１に記載された、ＳＩＭカードを挿入した従来の携帯電話機の筐体の一部を、ＳＩＭカードを挿入した状態、及び、その一部を取り出した状態で示す断面図である。
【０００３】
図４（ａ）に示すように、電話機筐体２０は、電池２７を収容する電池収容空間２１とＳＩＭカード２３などを収容するカード収容空間２２とを有し、ＳＩＭカード２３は、カード支持台２４とスライド台２５との間に挟まれて、カード収容空間２２内に収容されている。挿入されているＳＩＭカード２３は、同図（ｂ）に示すように、まず電池収容空間２１を覆う電池カバー２６を取り外し、次いで、電池収容空間２１から電池２７を取り外した後に、スライド台２５をＳＩＭカード２３と共に、電池収容空間２１の方向に引き出すことで、取り出される。
【特許文献１】特開２０００−４９９１７号公報
【発明の開示】
【発明が解決しようとする課題】
【０００４】
従来の携帯電話機では、上記のように、ＳＩＭカード２３は、電池収容空間２１の奥側に配置されたカード収容空間２２内に、カード支持台２４とスライド台２５とに挟まれて収容されており、その取り出しにあたっては、スライド台２５と共にＳＩＭカード２３を引き抜く構造が取られている。このようなカード支持台２４及びスライド台２５とでＳＩＭカード２３を挟む構造は、携帯電話機の薄型化に大きな障害となっている。
【０００５】
また、スライド台２５を採用せずに、ＳＩＭカード２３を単体のまま取り出す構造とすると、その取り出しの際の操作性が悪く、場合によってＳＩＭカード２３を傷つけ、或いは、他の電気部品や筐体を破損する等のおそれがある。更に、取り出しの際の操作性を改善するために、ＳＩＭカード２３の取付構造を緩やかなものにすると、使用中にＳＩＭカード２３がコネクタから外れて、読取りエラーが発生するという問題もある。
【０００６】
本発明は、上記に鑑み、ＳＩＭカードなどのカード媒体の取り出しが特に容易なカード取り出し構造を有する携帯型電子機器を提供することを目的とする。
【課題を解決するための手段】
【０００７】
上記目的を達成するために、本発明の携帯型電子機器は、第１の空間と、該第１の空間から挿入されるカード媒体を収容するカード媒体収容空間とを有する筐体を備える携帯型電子機器において、
前記第１の空間と前記カード媒体収容空間との境界部分を含み前記第１の空間を覆うカバー部材を備え、該カバー部材は、前記カード媒体収容空間内で前記筐体の係止部に係合して前記カバー部材を前記筐体に係止する係合部を備え、該係合部は、前記カバー部材を前記挿入方向と直交方向に第１の強度で押圧することにより前記係止部との係合が外れ、前記カバー部材を前記第１の強度よりも大きな第２の強度で前記挿入方向と直交する方向に押圧することにより、前記カード媒体の表面と接触し、該カード媒体は、前記カバー部材の係合部との摩擦によって、該カバー部材と共に前記第１の空間側に取り出し可能であることを特徴とする。
【発明の効果】
【０００８】
本発明の携帯型電子機器によると、カバー部材の係合部とカード媒体との摩擦によって、カード媒体が取り出し可能であるため、カード媒体の取り出し構造の構成が簡素化される。特に、カバー部材の係合部は、電池収容空間などのカバーのために従来から必要な部品であり、この係合部の一部を改良すれば足り、カバー部材が係合部を備えることにより、部品点数が増加するものでもない。
【０００９】
本発明の携帯型電子機器では、前記カバー部材は、前記カード媒体の前記挿入方向と逆方向の移動を禁止するカード押さえ部を有することが好ましい。カバー部材の一部をカード媒体の押さえとして利用することにより、更に部品点数の削減が可能である。
【００１０】
また、前記カード媒体は、前記カード媒体収容空間内においてカードコネクタ上に搭載されていることも本発明の好ましい態様である。カードコネクタを利用することにより、カード媒体収容空間内でのカード媒体の保持が容易である。
【００１１】
更に、前記カードコネクタは、前記カード媒体収容空間内に配設されるサブ基板上に搭載され、該サブ基板は、前記第１の空間及びカード媒体収容空間内に配設されるメイン基板上に搭載される点も本発明の好ましい態様である。
【００１２】
更に、前記係合部が、前記カード媒体の表面との接触面にクッション部材を有することも本発明の好ましい態様である。カード媒体の表面の損傷及び外力に伴う動作不良が防止可能である。ここで、本発明の携帯型電子機器は、典型的には携帯電話機として構成され、その場合、前記カード媒体は典型的にはＳＩＭカードである。
【発明を実施するための最良の形態】
【００１３】
図１（ａ）は、本発明の一実施形態に係る携帯型電子機器である携帯電話機の構成の一部を、各部品を展開した状態で示している。なお、本実施形態の携帯型電子機器を構成する筐体は、図示した状態とは上下を逆にして、例えば図４に示した携帯電話機の筐体として利用される場合があるものの、以下の記述では、図１に示した状態で上下を表現する。携帯型電子機器は、前面側に電池収容空間６を、背面側にカード収容空間（図示せず）をそれぞれ有する筐体１５と、電池収容空間６を覆う電池カバー１とから構成される。電池収容空間６には電池１０が収容され、カード収容空間には各種基板とＳＩＭカードとが収容される。カード収容空間の上蓋（リアカバー）５は、筐体１５に固定されており、その前面側の端部には、電池カバー１の端部と係合する係止部である下がり壁（立ち壁）７が形成されている。
【００１４】
図１（ｂ）は、同図（ａ）に示した電池カバー１を、筐体１５の背面側から見た状態で示す。電池カバー１の背面側の端部には、筐体１５のカード収容空間６側の端部に形成された下がり壁７に係合する係合爪２が形成されている。また、その端部に隣接して、垂直方向に延びるカード押さえ壁４が電池カバー１の内面側に形成されている。電池カバー１は、比較的柔軟な樹脂などで形成されており、上から手指等で押すことで容易に撓む構造である。電池カバー１をカード収容空間側に押すことにより、係合爪２はカード収容空間側のリアカバー５に形成された下がり壁７の下側を通ってその背面側に回り込んで、これに係止される。また、電池カバー１の背面側の端部を上から押さえることによって、係合爪２とリアカバー５の下がり壁７との間の係合が外れる。
【００１５】
図２は、図１の筐体１５を、カード収容空間側のリアカバー５及び内部の仕切を除き、且つ、内部に収容される基板を展開した状態で示している。筐体１５は、全体として浅い箱形形状を有し、その底面上にメイン基板１３が収容される。メイン基板１３の形状及び寸法は、筐体１５の底面の形状及び寸法と適合しており、底面上に配置される。メイン基板１３上のカード収容空間側には、カード収容空間９の底面に適合した形状のサブ基板１２が配設される、サブ基板１２上には、挿入されるＳＩＭカード１４の前方側を保持してＳＩＭカード１４から電気信号を読み出すＳＩＭコネクタ１１が搭載される。
【００１６】
図１に戻り、ＳＩＭカード１４を筐体１５に挿入する際には、電池１０を電池収容空間６から外した状態で、ＳＩＭカード１４を、ＳＩＭカード挿入口８から、カード収容空間９内に押し込む。ＳＩＭカード１４は、図２に示したＳＩＭコネクタ１１に挿入される。ＳＩＭカード１４の両側の縁部は、ＳＩＭコネクタ１１のカード支持枠１６によって支持され、その中央部はリアカバー５の内面に対向して露出している。ＳＩＭカード１４を挿入した後は、電池１０を電池収容空間６内に収容し、次いで、電池カバー１を取り付ける。電池カバー１の取付にあたっては、電池カバー１の前端がリアカバー５の端部の下側をくぐるように、電池カバー１をやや斜めにして前方に押し、電池カバー１の係合部２とリアカバー５の下がり壁７とが係合したら、電池カバー１を水平にして、筐体１５に取り付ける。
【００１７】
図３（ａ）〜（ｃ）は、電池収容空間６とカード収容空間９との境界近傍の、ＳＩＭカードの挿入方向に沿う縦断面図である。同図（ａ）は、電池カバー１を筐体１５に取り付けた状態を、同図（ｂ）は、同図（ａ）の状態で電池カバー１のカード収容空間９側の端部を下方に少し押し下げた状態を、同図（ｃ）は、同図（ｂ）の状態から電池カバー１の収容空間９側の端部を更に下方に押し下げた状態を、それぞれ示している。
【００１８】
図３（ａ）に示すように、電池カバー１を筐体１５に取り付けた状態では、電池カバー１の係合爪２とリアカバー５からの下がり壁（係止部）７とが係合している。電池カバー１の係合爪２は、電池カバー１の挿入方向前方の端部、つまり電池カバー１の筐体背面側の端部に形成されている。係合爪２は、全体としてＵ字形状を有しており、Ｕ字の先端部分の立ち上がり部は、リアカバー５の厚みの分だけ、Ｕ字の後端部分よりも低い形状を有する。また、Ｕ字の底面には、クッション材３が貼り付けられている。係合爪２のＵ字の先端部分の立ち上がり部には、電池カバー１が斜めになって前方に進むときに、リアカバー５からの下がり壁７に下方に押されて、下がり壁７の背面側に回り込めるように、前方に向かって下がる形状のテーパが付けられている。電池カバー１が前方に押され、係合爪２のＵ字の先端部が下がり壁７の下側を越えた後は、電池カバー１を水平にする。その結果、係合爪２のＵ字の先端部と下がり壁７とが係合し、電池カバー１は筐体１５のリアカバー５に係止される。そのとき、電池カバー１の前端部に隣接して形成されたカード押さえ壁４は、ＳＩＭカード１４の挿入方向後端と係合し、ＳＩＭカード１４の後方への抜け落ちを防止する。
【００１９】
図３（ｂ）に示すように、電池カバー１の先端部分を上から手指で押さえることにより、先端部分が撓み係合爪２が少し下がるので、係合爪２とリアカバー５の下がり壁７との係合が外れる。従って、電池カバー１を前面側に向かって引くことによって、電池カバー１は、前面側に向かって筐体１５から取り外すことができる。また、図３（ａ）の状態から、電池カバー１の先端部分をもっと強く押し下げることにより、係合爪２のＵ字の下面に貼り付けられたクッション材３が、ＳＩＭカード１４の左右方向の中央付近に押し付けられる。このとき、電池カバー１を前面側に向かって引くことによって、ＳＩＭカードは、クッション材との摩擦力によって、電池カバーと共に、前方側に引かれる。このため、ＳＩＭカード１４の後端は、図３（ｃ）に示すように、カード収容空間９から電池収容空間６側に少し引き出される。電池カバー１の係合爪２が、リアカバーの下がり壁７を越えて引き出された後は、電池カバーを上方に向かって引き上げて、筐体１５から取り外す。その後、電池１０を取り外し、更に、電池収容空間６側に引き出されたＳＩＭカード１４の後端部分を手指で挟んで、カード収容空間９から電池収容空間６側に引き出す。
【００２０】
本実施形態の携帯型電子機器の筐体は、図４を参照して説明した携帯電話機の筐体２０に代えて適用できる。本実施形態では、電池カバー１を外す際に、単に電池１０を交換するときに比して少し強く電池カバー１の端部を押さえることによって、ＳＩＭカード１４を同時に引き出すことを可能にする。従って、ＳＩＭカード１４の取り扱い性を容易にする効果がある。
【００２１】
また、電池カバー１を筐体１５に取り付けた際には、電池カバー１に形成したカード押さえ壁４が、ＳＩＭカード１４の後端を押さえることにより、カード収容空間９内でのＳＩＭカード１４の確実な保持を実現できる効果もある。
【００２２】
更に、電池カバー１の係合爪２の下方にＳＩＭコネクタ１１を配置することで、カード収容空間９と電池収容空間６との境界付近のスペースを有効に活用することができ、携帯電話機等の薄型化のため、より実装効率を上げるという効果もある。
【００２３】
以上、本発明をその好適な実施態様に基づいて説明したが、本発明の携帯型電子機器は、上記実施態様の構成にのみ限定されるものではなく、上記実施態様の構成から種々の修正及び変更を施したものも、本発明の範囲に含まれる。また、本発明の好適な態様として記載した各構成や実施形態で記載した各構成については、本発明の必須の構成と共に用いることが好ましいが、単独であっても有益な効果を奏する構成については、必ずしも本発明の必須の構成として説明した全ての構成と共に用いる必要はない。
【産業上の利用可能性】
【００２４】
本発明の携帯型電子機器は、カード型媒体を収容する携帯電話機として利用できる。
【図面の簡単な説明】
【００２５】
【図１】（ａ）は本発明の一実施形態の携帯型電子機器を示す展開斜視図、（ｂ）は電池カバーを筐体の背面側から見た斜視図。
【図２】図１に示した筐体を、リアカバー及び内部仕切を外して示す展開斜視図。
【図３】電池収容空間とカード収容空間との境界部近傍を示す縦断面図で、（ａ）は電池カバーを筐体に取り付けた状態を、（ｂ）は電池を外すために電池カバーを外す状態を、（ｃ）はＳＩＭカードを取り外すために電池カバーを外す状態を、それぞれ示す図。
【図４】従来の携帯電話機を示す縦断面図で、（ａ）は電池カバーを取り付けた状態を、（ｂ）はＳＩＭカードを外す状態をそれぞれ示す図。
【符号の説明】
【００２６】
１：電池カバー
２：係合爪
３：クッション材
４：カード押さえ壁
５：リアカバー
６：電池収容空間
７：下がり壁（係止部）
８：カード挿入口
９：カード収容空間
１０：電池
１１：ＳＩＭコネクタ
１２：サブ基板
１３：メイン基板
１４：ＳＩＭカード
１５：筐体
１６：カード支持枠
２０：電話機筐体
２１：電池収容空間
２２：カード収容空間
２３：ＳＩＭカード
２４：カード支持台
２５：スライド台
２６：電池カバー
２７：電池
【図１】
2006229576.tif 000003
【図２】
2006229576.tif 000004
【図３】
2006229576.tif 000005
【図４】
2006229576.tif 000006